(57)【要約】【課題】高所作業を行うにあたり、作業効率等の向上を図ることのできる落下物防止具を提供する。【解決手段】落下物防止具１は、高所作業を行う作業員Ｐ１が装着するものであって、当該作業員Ｐ１の胴周りに環状に装着され、内周側から外周側にかけて斜め上方へ笠状に広がった受部２と、作業員Ｐ１の肩に掛けて受部２を吊り支える肩掛け部３とを備えている。これにより、高所作業中に何らかの落下物３３が生じた場合でも、作業員Ｐ１の胴周りの受部２によって、当該落下物３３を受け止めることができる。【選択図】      図３
2010222860.tif 000002
【特許請求の範囲】
【請求項１】
高所作業を行う作業員が装着する落下物防止具であって、
前記作業員の胴周りに環状に装着され、内周側から外周側にかけて斜め上方へ笠状に広がった受部と、
前記作業員の肩に掛けて前記受部を吊り支える肩掛け部とを備えた落下物防止具。
【請求項２】
前記受部は、略Ｃ字状に展開形成され、
その長手方向両端部からそれぞれ長手方向所定範囲において、着脱自在に接合可能な一対の面ファスナの一方又は他方を設けることによって、当該両端部同士を所定長重ね合わせて装着可能となっていることを特徴とする請求項１に記載の落下物防止具。
【請求項３】
前記受部は、透明又は半透明部材により形成されていることを特徴とする請求項１又は２に記載の落下物防止具。
【請求項４】
前記受部に、金属製の網目部材が配設されていることを特徴とする請求項１乃至３のいずれかに記載の落下物防止具。
【請求項５】
前記受部の外周縁部に、金属製の線材が配設されていることを特徴とする請求項１乃至４のいずれかに記載の落下物防止具。
【請求項６】
前記肩掛け部は、装着時に作業者の胸部前側でファスナを係止することで、前側ベルト部の左右両側部分に掛け渡される調整用ベルトを備えていることを特徴とする請求項１乃至５のいずれかに記載の落下物防止具。
【請求項７】
前記肩掛け部は、Ｄリングを介してＶ字状に折り返された前側ベルト部及び背側ベルト部を備え、前側ベルト部の片側はリングを介して摺動自在に受部に取り付けられ、前側ベルト部の左右どちらかのベルト部に長さ調整用のバックルが前記リングを介して折り返された先端に備わっていることを特徴とする請求項１乃至６のいずれかに記載の落下物防止具。
【発明の詳細な説明】
【技術分野】
【０００１】
本発明は、高所作業中に生じる落下物の落下防止を図るための落下物防止具に関するものである。
【背景技術】
【０００２】
事務所ビル、電算室さらにはサーバセンタなど、すでに稼働並びに使用している室内において、居抜き工事として、ユーザが使用中の機器や什器をそのままにした状態での改修工事がよく行われる。建築設備としては、照明器具、空調用制気口、各種センサ、消防設備端末、天井内設置機器など、天井に設けられた機器や部品が数多く存在し、改修工事ではそれらを対象に工事する。天井工事はその性質上、高所作業で且つ上向き作業となり、とても作業性の悪い不安定な作業者の姿勢を強制する。このような改修工事において、従来、高所作業を行う現場においては、作業中に、設置機器本体や、ボルトやナットといった部品、工具、作業屑などが落下するおそれがあることから、当該落下物からこれら機器や什器を守るために防護ネットもしくは養生シートを張るなどして養生を行っている（例えば、特許文献１参照）。
【０００３】
例えば、図４に示すように、通信設備５０等が設置された設備室内において、作業員Ｐ１が天井５１へ警報器５２等の取付け工事を行う際には、設置機器本体、作業屑など何らかの落下物５３から通信設備５０等を守るため、当該取付け工事前に、通信設備５０上に帯電防止シート５４等を被せている。
【先行技術文献】
【特許文献】
【０００４】
【特許文献１】特開２００３−２５８５１４号公報
【発明の概要】
【発明が解決しようとする課題】
【０００５】
しかしながら、落下物５３が飛び散る等して広範囲に影響を及ぼすおそれがあるため、作業員Ｐ１が作業を行っている直下の通信設備５０等のみならず、その周囲の通信設備５０等に対しても帯電防止シート５４等を被せる必要がある。そのため、取付け工事の前段階における養生作業に時間がかかり、工事全体の作業効率が低下するおそれがあった。
【０００６】
また、稼働中の通信設備５０等に対しては、放熱の関係上、その全体を帯電防止シート５４等により覆うことができない場合もある。
【０００７】
勿論、上記不具合は、通信設備５０等の設備室内における警報器５２等の取付け工事の場合に限らず、例えば照明器具の取付や、天井の無い場合のダクト工事、配管工事など、他の高所作業を行う際にも同様に発生する問題である。
【０００８】
本発明は、上記事情に鑑みてなされたものであり、その目的は、高所作業を行うにあたり、作業効率等の向上を図ることのできる落下物防止具を提供することにある。
【課題を解決するための手段】
【０００９】
以下、上記課題等を解決するのに適した各手段につき項分けして説明する。なお、必要に応じて対応する手段に特有の作用効果等を付記する。
【００１０】
手段１．高所作業を行う作業員が装着する落下物防止具であって、
前記作業員の胴周りに環状に装着され、内周側から外周側にかけて斜め上方へ笠状に広がった受部と、
前記作業員の肩に掛けて前記受部を吊り支える肩掛け部とを備えた落下物防止具。
【００１１】
上記手段１によれば、高所作業を行う作業員の胴周りに環状に装着された受部によって、高所作業中に生じる落下物を受け止め、通信設備など養生対象物上への当該落下物の落下を防止することができる。
【００１２】
例えば支柱など所定の対象物に取付固定する落下物防止具等とは異なり、本手段の落下物防止具は、高所作業を行う作業員自身が装着して使用するものであるため、落下物が生じる当該作業員の手元により近い位置でより確実に落下物を受け止めることができる。さらに、作業員が作業場所を移動する都度、その付け替え作業等を行う必要もない。
【００１３】
本手段の落下物防止具を用いることにより、落下物が広範囲に飛び散ることを防ぐことができ、高所作業を行う前段階における養生作業を広範囲に行う必要がなくなる。場合によっては、養生作業自体を省略することも可能となる。また、何らかの理由で養生を行うことのできないエリアでも、支障なく作業を行うことができる。結果として、作業全体の作業効率を高めることができる。
【００１４】
加えて、肩掛け部により受部を吊り支えているため、より重い落下物をもしっかりと受け止めることができる。また、作業員は両手が自由となるため、作業性の低下を防ぐことができる。
【００１５】
手段２．前記受部は、略Ｃ字状に展開形成され、
その長手方向両端部からそれぞれ長手方向所定範囲において、着脱自在に接合可能な一対の面ファスナの一方又は他方を設けることによって、当該両端部同士を所定長重ね合わせて装着可能となっていることを特徴とする手段１に記載の落下物防止具。
【００１６】
上記２によれば、簡単に着脱できるため、作業能率を高めることができる。また、各作業員の胴周りのサイズに合わせて受部の周長を調節できるため、快適な装着性を確保することができる。また、作業員の胴周りに隙間なくフィットさせることができため、装着時の安定性や動作性がよい。
【００１７】
手段３．前記受部は、透明又は半透明部材により形成されていることを特徴とする手段１又は２に記載の落下物防止具。
【００１８】
上記手段３によれば、作業員が自身の足下を視認可能となるため、脚立の昇降など高所作業を行う上での安全性の向上を図ることができる。
【００１９】
手段４．前記受部に、金属製の網目部材が配設されていることを特徴とする手段１乃至３のいずれかに記載の落下物防止具。
【００２０】
上記手段４によれば、受部の強度が増し、工具などより重い落下物をより確実に受け止めることができる。結果として、落下物が受部を突き破り、落下してしまうといった不具合を低減させ、安全性の向上を図ることができる。
【００２１】
手段５．前記受部の外周縁部に、金属製の線材が配設されていることを特徴とする手段１乃至４のいずれかに記載の落下物防止具。
【００２２】
上記手段５によれば、受部の外周縁部における撓み等を抑制することができる。これにより、落下物を受け止める範囲をより広範囲に確保することができるとともに、受部の外周縁部が撓み、そこから落下物がすべり落ちてしまうといった不具合を防止することができる。
【００２３】
手段６．前記肩掛け部は、装着時に作業者の胸部前側でファスナを係止することで、前側ベルト部の左右両側部分に掛け渡される調整用ベルトを備えていることを特徴とする手段１乃至５のいずれかに記載の落下物防止具。
【００２４】
上記手段６によれば、作業者による装着時には、容易に肩掛け部を両側から肩に背負うことが容易であり、かつ、ファスナを締結すれば、肩と腕を大きな範囲を動作させる作業時にも、肩掛け部が肩からずり落ちないことで、作業を行う上で安全性や落下物防護性の向上を図ることができる。
【００２５】
手段７．前記肩掛け部は、Ｄリングを介してＶ字状に折り返された前側ベルト部及び背側ベルト部を備え、前側ベルト部の片側はリングを介して摺動自在に受部に取り付けられ、前側ベルト部の左右どちらかのベルト部に長さ調整用のバックルが前記リングを介して折り返された先端に備わっていることを特徴とする手段１乃至６のいずれかに記載の落下物防止具。
【００２６】
上記手段７によれば、作業者の体格差によらず、前側ベルト部を予め緩めておいてから作業者は肩掛け部を背負った後、前側ベルト部の前面にあるバックルの長さを調整するだけで前側ベルト部の長さ全体が調整され、Ｄリングを介して前側ベルト部に吊設される背側ベルト部中央部の作業者背中位置が上下するので、１箇所の調整で肩掛け部全体の作業者へのフィット調整が可能である。よって、作業者の体格に合わせて装着前にいちいち肩掛け部を調整する手間が省ける。
【図面の簡単な説明】
【００２７】
【図１】落下物防止具の背面図である。
【図２】受部の展開図である。
【図３】落下物防止具を用いた高所作業を説明するための図である。
【図４】従来における高所作業を説明するための図である。
【発明を実施するための形態】
【００２８】
以下、落下物防止具の一実施形態について図面を参照して説明する。図１は、落下物防止具１の背面図である。
【００２９】
落下物防止具１は、高所作業を行う作業員が装着するものであって、当該作業員の胴周りに環状に装着され、内周側から外周側にかけて斜め上方へ笠状に広がった受部２と、作業員の肩に掛けて受部２を吊り支える肩掛け部３とを備えている。
【００３０】
図２に示すように、受部２は、メッシュ入りの透明又は半透明の樹脂シート材により、略Ｃ字状に展開形成されている。当該メッシュが金属製の網目部材を構成する。本実施形態の受部２は、その外径Ｗ１が約１．５ｍに設定され、その内径Ｗ２が約０．４ｍに設定されている。
【００３１】
受部２の周方向両端部５ａ，５ｂからそれぞれ周方向の所定範囲Ｙａ，Ｙｂには、受部２の内周縁部７に沿って一対の面ファスナ９ａ，９ｂが設けられ、受部２の外周縁部８に沿って一対の面ファスナ１０ａ，１０ｂが設けられている。
【００３２】
面ファスナ９ａ，１０ａは、フック状に起毛された側である雄側の面ファスナであり、受部２の裏面側に設けられている。また、面ファスナ９ｂ，１０ｂは、ループ状に起毛された側である雌側の面ファスナであり、受部２の表面側に設けられている。
【００３３】
また、受部２の外周縁部８には、金属製の線材からなる口金１２が埋設されている。
【００３４】
一方、肩掛け部３は、Ｄリング１３を介してＶ字状に折り返された前側ベルト部１５及び背側ベルト部１６を備えている。背側ベルト部１６の両端部は、それぞれ受部２の外周縁部８に固定されている。前側ベルト部１５の後述する長さ調整用バックルのある側の端部は受部２の外周縁部８にリングを介して摺動自在に接続され、他端は受部２の外周縁部８に固定されている。前側ベルト部１５には、長さ調整用のバックル１８が、前記受部２の外周縁部８のリングで折り返された端部を固定し、前側ベルト部１５の中ほどを摺動自在及び固定自在に移動可能に取り付けられている。また、Ｖ字に分かれた前側ベルト部１５の左右両側部分に架け渡されるようにして、調整用ベルト１９が取付けられている。調整用ベルト１９には、樹脂製の雌雄で係合可能なファスナを介して両側に長短一組のベルトと、ファスナのリングで折り返された端部を固定し、別途長い側のベルトの中ほどを摺動自在及び固定自在に移動可能に取り付けられる長さ調整用のバックル２０が取付けられている。
【００３５】
次に、落下物防止具１の装着手順について説明する。
【００３６】
まず作業員は、落下物防止具１を手にとって、受部２の内側部分に入り込み、受部２を自身の胴の位置を合わせる。続いて、受部２の内周縁部７と自身の胴周りとの間に隙間ができないように、内周縁部７の面ファスナ９ａ，９ｂを接合する。併せて、外周縁部８の面ファスナ１０ａ，１０ｂを接合する。
【００３７】
次に作業員は、肩掛け部３の前側ベルト部１５を両肩に掛け、バックル１８を操作してその長さを調節する。その後、バックル２０を操作して調整用ベルト１９の長さを調整する。これにより、落下物防止具１の装着が完了する。
【００３８】
上述した落下物防止具１を用いることにより、例えば図３に示すように、通信設備３０等が設置された設備室内において、高所作業を行う作業員Ｐ１が天井３１へ警報器３２等の取付け工事を行う際に、作業屑など何らかの落下物３３が生じた場合でも、作業員Ｐ１の胴周りに環状に装着された受部２によって、当該落下物３３を受け止め、通信設備３０上への当該落下物３３の落下を防止することができる。
【００３９】
落下物防止具１は、例えば支柱など所定の対象物に取付固定する落下物防止具等とは異なり、高所作業を行う作業員Ｐ１自身が装着して使用するものであるため、落下物３３が生じる当該作業員Ｐ１の手元により近い位置でより確実に落下物３３を受け止めることができる。さらに、作業員Ｐ１が作業場所を移動する都度、その付け替え作業等を行う必要もない。
【００４０】
加えて、作業員Ｐ１の使用する脚立３５を下で支える作業員Ｐ２がいる場合には、当該作業員Ｐ２上への落下物３３の落下を防止することができるため、養生対象物のみならず、作業員Ｐ２の作業中の安全性をも向上させることができる。
【００４１】
また、落下物防止具１を用いることにより、落下物３３が広範囲に飛び散ることを防ぐことができ、高所作業を行う前段階における養生作業を広範囲に行う必要がなくなる。場合によっては、養生作業自体を省略することも可能となる。また、何らかの理由で養生を行うことのできないエリアでも、支障なく作業を行うことができる。結果として、工事全体の作業効率を高めることができる。
【００４２】
さらに、肩掛け部３により受部２を吊り支えているため、より重い落下物３３をもしっかりと受け止めることができる。また、作業員Ｐ１は両手が自由となるため、作業性の低下を防ぐことができる。
【００４３】
落下物防止具１は、略Ｃ字状に展開形成され、簡単に着脱できる構成となっているため、作業能率を高めることができる。また、作業員Ｐ１の胴周りのサイズに合わせて受部２の周長を調節できるため、快適な装着性を確保することができるとともに、作業員Ｐ１の胴周りに隙間なくフィットさせることができため、装着時の安定性や動作性がよい。
【００４４】
さらに、本実施形態の受部２は、メッシュ入りの透明又は半透明の樹脂シート材により形成されている。これにより、作業員Ｐ１が自身の足下を視認可能となるため、脚立３５の昇降など高所作業を行う上での安全性の向上を図ることができる。また、受部２の強度が増し、工具などより重い落下物３３をより確実に受け止めることができる。結果として、落下物３３が受部２を突き破り、落下してしまうといった不具合を低減させ、安全性の向上を図ることができる。
【００４５】
また、受部２の外周縁部８に口金１２が埋設されているため、受部２の外周縁部８における撓み等を抑制することができる。これにより、落下物３３を受け止める範囲をより広範囲に確保することができるとともに、受部２の外周縁部８が撓み、そこから落下物３３がすべり落ちてしまうといった不具合を防止することができる。
【００４６】
なお、上述した実施形態の記載内容に限定されず、例えば次のように実施してもよい。
【００４７】
（ａ）受部２の形状、構造、大きさ等、各種構成は、上記実施形態に限定されるものではない。
【００４８】
例えば、上記実施形態では、受部２は略Ｃ字状に展開形成され、面ファスナ９ａ，９ｂ等によって着脱する構成となっているが、これに代えて、受部２を予め切れ目のない円環状に形成しておき、その内周縁部にゴム等の弾性体を設けておき、当該弾性体の伸縮により作業員の胴にフィットさせる構成としてもよい。
【００４９】
また、上記実施形態の受部２は、メッシュ入りの透明又は半透明の樹脂シート材により形成されているが、メッシュを省略した構成としてもよいし、不透明のシート材により形成してもよいし、口金１２を省略してもよい。
【００５０】
（ｂ）肩掛け部３の形状、構造、大きさ等、各種構成は、上記実施形態に限定されるものではない。
【００５１】
例えば、上記肩掛け部３は、ベルト部１５，１６によってそれぞれ２箇所ずつ計４箇所で受部２を支えているが、これに限らず、３箇所以下又は５箇所以上で支える構成としてもよい。
【００５２】
また、肩掛け部３が受部２から取外し可能となった構成としてもよいし、調整用ベルト１９を省略した構成としてもよい。
【符号の説明】
【００５３】
１…落下物防止具、２…受部、３…肩掛け部、９ａ，９ｂ，１０ａ，１０ｂ…面ファスナ、１２…口金、１５…前側ベルト部、１６…背側ベルト部、３３…落下物、Ｐ１…作業員。
【図１】
2010222860.tif 000003
【図２】
2010222860.tif 000004
【図３】
2010222860.tif 000005
【図４】
2010222860.tif 000006